(57)【要約】【課題】従来の低周波治療器においては、粘着式、吸盤取付式のタイプが多く、また、パット型のタイプが多く、強い電流が発生した場合にすぐに取り外すことが困難であり、感電による火傷の虞や、人体に悪影響を及ぼす虞があった。また、導子型のものもあるが、製造コストがかかり手間がかかること、サイズが大きく一人で使用できないこと、等の課題があった。【構成】治療すべき部位に当てる低周波治療器における関電極又は不関電極の構造であって、金属メッキを施したプラスチック製のベースに、複数の棒状の金属を圧入して関電極導子とし、関電極ベースとボディーをビスで連繋する際に、電流を導入するリード線を関電極ベースとボディーの間に挟持する構造とした低周波治療器における関電極又は不関電極の構造である。従って、低周波治療器の軽量化・小型化、製造工程の簡略化、低コスト化、等の効果がある。【選択図】      図１
0003119267.tif 000002
【実用新案登録請求の範囲】
【請求項１】
治療すべき部位に当てる低周波治療器における関電極又は不関電極の構造であって、
金属メッキを施したプラスチック製のベースの貫通孔に、複数の棒状の金属を圧入して導子とし、前記ベースとボディーをビスで連繋する際に、電流を導入するリード線をベースとボディーの間に挟持する構造とした低周波治療器における関電極又は不関電極の構造。
【請求項２】
リード線は関電極側に連繋されることを特徴とする請求項１に記載の低周波治療器における関電極又は不関電極の構造。
【請求項３】
リード線は不関電極側に連繋されることを特徴とする請求項１に記載の低周波治療器における関電極又は不関電極の構造。
【考案の詳細な説明】
【技術分野】
【０００１】
本願考案は、身体における筋肉の患部の痛みを取り除くことを目的とした、低周波治療器における関電極又は不関電極の構造に関する。
【背景技術】
【０００２】
従来の低周波治療器は、身体の患部に低周波電流を導通し、電気的刺激により細胞を復活させることを目的としたものである。しかし、従来のものは非常に大型のものが主流であり、家庭で使用できるものは非常に少なかった。また、小型のものも発明されるようになったが、粘着式のパットを２枚人体に貼り付けて通電するタイプのものや、吸盤を取り付けて通電するタイプのものが多かった。しかし、粘着式のものや吸盤を取り付けるものは貼り付けた箇所にパット跡や吸盤跡が残ることがあり、問題があった。そこで、小型で家庭で使用でき、治療部位に複数の棒状の接点を持つことによって治療する低周波治療器が出願されている。
【０００３】
文献（１）は、再公表特許Ｗ００２／０００２９５「低周波治療器」であり、低周波パルス（スパイクパルス）電流を発生する低周波パルス発生回路を内蔵した筒体の一側に握り部が設けられていると共に、筒体の他側に低周波パルスを人体に伝える複数の針状の導電体が突設されており、握り部の表面にアース手段が露出されていることを特徴とする。
【０００４】
文献（２）は、実開平７−３３３５１号「低周波治療器」であり、低周波パルス電流発生器と、パルス電流発生器に接続されパルス電磁界を発生するソレノイドコイルと、磁性体とその先端部に固着された針状体の集束物、および磁性体の後端部に係着されたスプリングから成り、ソレノイドコイルの中央空隙内で軸方向に往復運動を行う振動体とを備え、振動体が、パルス電流発生器からパルス電流が出力されたとき、ソレノイドコイルの発する電磁吸引力により後退し、かつパルス電流が断たれたとき、スプリングの弾発力により前進するように構成してなることを特徴とする。
【０００５】
【特許文献１】再公表特許Ｗ００２／０００２９５
【特許文献２】実開平７−３３３５１号
【考案の開示】
【考案が解決しようとする課題】
【０００６】
従来の低周波治療器においては、粘着式のものや吸盤取付式のものは、前記のように、貼り付けた箇所にパット跡や吸盤跡が残ることがあった。パットを人体に貼り付けて使用するタイプのものは、強い電流が発生した場合にすぐに取り外すことが困難であり、感電による火傷の虞や、人体に悪影響を及ぼす虞があった。なお、パット又は吸盤タイプのものは、使用に応じて塵、埃が付着し、その塵、埃が皮膚に付着するため、不衛生であった。また、人体へパットを装着するために配線しなければならず、使用の際に場所を選ぶこと、配線ミス、ショートによる感電等の虞もあり、安全性の面で問題があった。
【０００７】
また、治療部位に複数の棒状の接点を持つことによって治療する低周波治療器として、文献（１）、（２）があるが、文献（１）は、アース手段があり、使用者の感電等を防止することができるが、サイズが大きく、実際の使用に無理が生じること、サイズが大きいため簡易に使用できず、使用に抵抗があること、電池電源での使用が難しく、一人での使用に困難が生じること、等の課題がある。また、電極の構造について言及されていない。
【０００８】
文献（２）は、機械的刺激によるマッサージ効果も有するが、低周波による患部の的確な治療には疑問が残る。スプリングを使用しており、構成が複雑であること、そのため故障の原因となり、実際の使用に無理が生じること、製造工程が複雑化すること、等の課題がある。
【０００９】
なお、一般に関電極を製造する場合において、特に関電極のベースとなる部位（関電極ベース）においては、導電性が必要であり、アルミニウム、鉄等の金属で製造する場合が多い。この場合、旋盤加工、フライズ盤加工、ボール盤加工等が必要であり、非常に手間がかかり、加工費が割高となる。また、導子部分においては、導子部分を圧入するにあたり、「０．０１ｍｍ＜導子部分の直径−孔の直径＜０．１ｍｍ」程度の高精度の加工が必要となる。
【課題を解決するための手段】
【００１０】
本考案は、ベースはプラスチックを主体として構成されていることで、低周波治療器の軽量化・小型化を図る。また、ベースに金属メッキを塗布することで、製造工程の簡略化、等を意図する。
【００１１】
請求項１は、治療すべき部位に当てる低周波治療器における関電極又は不関電極の構造であって、金属メッキを施したプラスチック製のベースの貫通孔に、複数の棒状の金属を圧入して導子とし、ベースとボディーをビスで連繋する際に、電流を導入するリード線をベースとボディーの間に挟持する構造とした低周波治療器における関電極又は不関電極の構造である。
【００１２】
本考案は、関電極又は不関電極とが連繋されていることによって、人体への感電の防止、低周波治療器の安全性を高めること、等を意図する。
【００１３】
請求項２は、リード線は関電極側に連繋されることを特徴とする低周波治療器における関電極又は不関電極の構造である。
【００１４】
請求項３は、リード線は不関電極側に連繋されることを特徴とする低周波治療器における関電極又は不関電極の構造である。
【考案の効果】
【００１５】
請求項１は、治療すべき部位に当てる低周波治療器における関電極又は不関電極の構造であって、金属メッキを施したプラスチック製のベースの貫通孔に、複数の棒状の金属を圧入して導子とし、ベースとボディーをビスで連繋する際に、電流を導入するリード線をベースとボディーの間に挟持する構造とした低周波治療器における関電極又は不関電極の構造である。
【００１６】
従って、低周波治療器の軽量化・小型化、製造工程の簡略化、低コスト化等の効果がある。
【００１７】
請求項２は、リード線は関電極側に連繋されることを特徴とする低周波治療器における関電極又は不関電極の構造である。
【００１８】
請求項３は、リード線は不関電極側に連繋されることを特徴とする低周波治療器における関電極又は不関電極の構造である。
【００１９】
従って、感電等の危険性の回避、等の効果がある。
【考案を実施するための最良の形態】
【００２０】
本考案を図面を基に説明する。尚、本考案は一例として、導子が圧入されている側を関電極として説明するが、一例であり、関電極又は不関電極を入れ替えることもあり得る。
【００２１】
図１は、本考案の低周波治療器Ａの関電極を表す断面図である。関電極１は関電極ベース２と、関電極導子３と、ボディー４と、関電極ベース２とボディー４を連繋し、電流を導入するリード線６を関電極ベース２とボディー４の間に挟持するビス５と、で構成されている。
【００２２】
関電極ベース２は金属メッキを施したプラスチック製であり、金属メッキを関電極ベース２の表面に塗布することで導電性を有する。また、関電極ベース２は、複数の関電極導子３を圧入するために貫通孔３１を有し、貫通孔３１に関電極導子３を圧入することで固定する。関電極導子３の圧入方法は特に限定されない。貫通孔３１は関電極ベース２に規則的に配列され、貫通孔３１に圧入される関電極導子３も規則的に配列される（図３参照）。関電極ベース２がプラスチック製であることによって、低周波治療器Ａの軽量化及び小型化が可能となり、一人での簡易な使用ができる。
【００２３】
一般に関電極ベース２を製造する場合において、導電性のあるアルミニウム、鉄等の金属で製造する場合が多い。この場合、旋盤加工、フライズ盤加工、ボール盤加工等が必要であり、加工費が割高となりコスト高となる。また、関電極導子３を圧入するため、貫通孔３１の高精度の加工が必要となるが、本発明の関電極ベース２は金属メッキを施したプラスチック製であり、加工が簡易であり、低コスト化が可能である。なお、関電極ベース２には金属メッキを塗布するが、防錆加工をすることが望ましい。
【００２４】
また、図２のように関電極ベース２にボディー４を取り付ける際、関電極ベース２とボディー４をビス５により連繋する。まず、関電極ベース２とボディー４を関電極ベース端部２１上にボディー端部４１が載置されるように嵌め合わせる。この際、図示しないが、関電極ベース端部２１とボディー端部４１が螺合するように、関電極ベース端部２１とボディー端部４１にそれぞれ溝を設けてもよい。そして、ビス５をボディー４のビス接合部４２を通して、関電極ベース２のビス孔５２に螺合することによって固定する。なお、ビス５とビス接合部４２の間にはビス止め５１を挟持し、ビス止め５１にリード線６を連繋することによって、低周波治療器本体の電気を関電極１に伝導することが可能となる。なお、図２では、ビス孔５２は関電極ベース２の端部にあるが、特に限定されない。
【００２５】
図４は、本願考案の関電極を有する低周波治療器Ａ本体の斜視図である。低周波治療器Ａ本体のボディー４には、関電極ベース２を嵌め込めるように円状に孔があいており、関電極ベース２をボディー４に嵌め込むことによって、リード線６を通じて導電される低周波パルスを患部に当てることができる。ボディー４の側面には、手で握ることにより、電気が伝導する伝導表面を有する不関電極７が設けられており、手が触れることにより、アースの役割を果たす。不関電極７は、クレームメッキで構成されることが望ましい。また、ボディー４の底面にはピンジャック４３があり、図５のように、アースコード８１に取り付けられたピンプラグ８２を差し込むことにより、不関電極７は不通となり、アース８を使用することが可能となる。アース８を接続し、関電極導子３を患部の近くに押し当てて、アース８を例えば、図６のように手Ｈで持ち、関電極導子３を当てた患部の近くにすることにより、患部への通電を強くする。ボディー４の上部には、電源のＯＮ／ＯＦＦのための電源スイッチ１０及び、低周波パルスの強弱（実際は低周波パルスの発信時間の長さの違いにより、低周波パルスの強弱を感じるものである。以下、強弱と記載されているところは同様である。）を切替えるための強弱スイッチ１１が設けられている。また、ボディー４には、低周波パルスの強弱又は低周波パルスの発生状況を表示するための表示部１２が設けられている。
【００２６】
図５は、低周波治療器Ａ本体のピンジャック４３にピンプラグ８２の付いたアースコード８１を低周波治療器Ａ本体に挿し込み、アース８を取り付けた状態を表す正面図である。図６のように、自分で低周波治療器本体Ａを使用する際には、手Ｈでアース８を持ち、患部（図６の場合はひざ）に関電極ベース２の関電極導子３を当てることによって、低周波治療を行う。また、患部がアース８から遠い場合には、ピンプラグ８２によってピンジャック４３に差し込まれたアース８を手Ｈで持ち、関電極ベース２にある関電極導子３を患部の近くに押し当てて、アース８を患部の近くにすることにより、患部への通電を強くする。
【００２７】
なお、前記のように、関電極１はリード線６によってトランス（図示せず）と連繋されており、トランスによって電圧を変換している。トランスは、９Ｖの電源を最大で６００Ｖまで増幅することができ、また、周波数の幅と間隔を制御部によって調整し、関電極ベース２の関電極導子３から低周波パルスを放出する。トランスは制御部にリード線６を通じて連繋され、制御部からバッテリー及びピンジャック４３にリード線６を通じて連繋される。
【００２８】
表示部１２は、図４のように低周波パルス発生ランプ（弱）、低周波パルス発生ランプ（中）、低周波パルス発生ランプ（強）、点滅ランプ等のＬＥＤを使用したランプで構成される。
【００２９】
低周波治療器Ａ本体は、電源スイッチ１０によって電源のＯＮ／ＯＦＦを切替えることができ、低周波（パルス波（矩形波））の強弱を強弱スイッチ１１を押すことによって調整することができる。強弱スイッチ１１を一回押すごとに表示部１２の低周波パルス発生ランプ（弱）、低周波パルス発生ランプ（中）、低周波パルス発生ランプ（強）の順にランプが点灯する。また、低周波パルスの発生状態の強弱を、点滅ランプによって表す。尚、点滅ランプは、次のランプへ順に光が流れるように点滅する。
【００３０】
尚、低周波の周波数は８Ｈｚであり、低周波パルスの強弱は、電流の流れる時間によって決定し、低周波パルス発生ランプ（弱）の時のパルス波長は１００μＳ、低周波パルス発生ランプ（中）の時のパルス波長は２００μＳ、低周波パルス発生ランプ（強）の時のパルス波長は６００μＳである。つまり、最大でも、低周波パルス発生ランプ（強）の時に、１秒間で８Ｈｚ×６００μｓ＝４．８ｍｓｅｃしか電気は流れていない。即ち９９５．２ｍｓｅｃは電気が流れていないので、非常に電力消費が少なく、省エネルギー化が可能であり、また、電池電源での使用が可能である。表示部１２のランプの種類及び数量、点灯色、点滅の有無及び点滅速度等は限定されない。
【００３１】
ピンジャック４３にアース８を差し込むことによって、不関電極７とアース８とを、切替えることができる。この切替えにより、放電することなく、感電を防止することができる。不関電極７は、リード線６と連繋している。
【００３２】
低周波パルスの強弱等を強弱スイッチ１１又はアース８の使用により簡易にできるため、治療者本人のみでも簡易かつ安全に使用可能な低周波治療器Ａ本体を提供することができる。また、本願発明の構造を有する低周波治療器Ａにおける低周波パルスは、８Ｈｚで最大のパルス波巾は６００μｓｅｃ（１秒間のうち発信時間は８×６００＝４８００μｓｅｃ）であり、出力時間及び出力電流が少なく、省力化が可能である。電池電源での使用が可能となるため、携帯することができ、持ち運びが容易なため、急な患部の痛み等にも素早く対応することができる。また、低周波パルスは、本体の側面に設けられた電導性を有する不関電極７と、低周波治療器Ａ本体に関電極ベース２を介して嵌め込まれた棒状の関電極導子３の両方に、人体が接触することによって通電するので、故障等により強い電流が流れた場合でも、低周波治療器Ａ本体から手を離せばよく、パットの使用や配線における安全面での不備の解消等が可能である。
【図面の簡単な説明】
【００３３】
【図１】本考案の一部断面図である。
【図２】本考案の拡大断面図である。
【図３】本考案の斜視図である。
【図４】本考案を使用した低周波治療器の一例を表した斜視図である。
【図５】本考案を使用した低周波治療器の他の一例を表した正面図である。
【図６】本考案を使用した低周波治療器の実際の使用例を表した図である。
【符号の説明】
【００３４】
１      関電極
２      関電極ベース
２１    関電極ベース端部
３      関電極導子
３１    貫通孔
４      ボディー
４１    ボディー端部
４２    ビス接合部
４３    ピンジャック
５      ビス
５１    ビス止め
５２    ビス孔
６      リード線
７      不関電極
８      アース
８１    アースコード
８２    ピンプラグ
１０    電源スイッチ
１１    強弱スイッチ
１２    表示部
Ａ      低周波治療器
Ｈ      手
【図１】
0003119267.tif 000003
【図２】
0003119267.tif 000004
【図３】
0003119267.tif 000005
【図４】
0003119267.tif 000006
【図５】
0003119267.tif 000007
【図６】
0003119267.tif 000008